(57)【特許請求の範囲】
【請求項１】
ワークを搬送するための基部及びアーム部を有する搬送装置と、
前記ワークをプレスするためのプレス装置と、
前記搬送装置及び前記プレス装置を制御するための制御部と、を有するトランスファプレスシステムであって、
前記制御部が、前記ワークの搬送方向をｘ軸、前記ワークの搬送方向に直交する幅方向をｙ軸とし、前記ｘ軸及び前記ｙ軸に直交する方向をｚ軸とし、任意の点を原点とした場合に、前記アーム部の先端の前記ｘ軸、前記ｙ軸及び前記ｚ軸の座標並びに前記プレス装置に取り付けた金型の角部の前記ｘ軸、前記ｙ軸及び前記ｚ軸の座標を記憶する座標記憶手段と、
前記搬送装置の運転搬送モーション及び前記プレス装置の運転プレスモーションを記憶するモーション記憶手段と、
前記運転搬送モーション及び前記運転プレスモーションから、前記金型の角部に対する前記アーム部の先端の軌跡として作成される運転干渉線、並びに、前記運転プレスモーションから算出される前記角部の座標、を比較して干渉の有無を判定する干渉判定手段と、
該干渉判定手段が干渉があると判定した場合、前記運転搬送モーション及び／又は前記運転プレスモーションを変更するモーション調整手段と、を備えるトランスファプレスシステム。
【請求項２】
前記角部が、前記運転プレスモーションにおける前記運転干渉線に対する距離が最短となる前記金型の部分である請求項１に記載のトランスファプレスシステム。
【請求項３】
前記基部が右基部と左基部とからなり、
前記アーム部が右アーム部と左アーム部とからなり、
前記右アーム部は前記右基部に設けられるものであり、前記左アーム部は前記左基部に設けられるものであり、
前記右基部と前記左基部は前記プレス装置の両側に配置されるものであり、
前記右アーム部及び前記左アーム部がいずれもｘ軸、ｙ軸及びｚ軸方向に移動可能であり、
前記右アーム部及び前記左アーム部が協働して前記ワークを両側から把持して搬送するものである請求項１又は２に記載のトランスファプレスシステム。
【請求項４】
前記右アーム部及び前記左アーム部がいずれもロボットアームである請求項３記載のトランスファプレスシステム。
【請求項５】
前記モーション調整手段が、
前記運転搬送モーションの開始タイミング、前記運転搬送モーションの開始位置、前記運転搬送モーションの動作速度、前記運転プレスモーションの開始タイミング、前記運転プレスモーションの開始位置及び前記運転プレスモーションの動作速度からなる群より選択される１つ以上を変更するものである請求項１〜４いずれか１項に記載のサーボトランスファプレスシステム。
【請求項６】
ワークを搬送するための基部及びアーム部を有する搬送装置と、
前記ワークをプレスするためのプレス装置と、
前記搬送装置及び前記プレス装置を制御するための制御部とを有するトランスファプレスシステムであって、
前記制御部が、前記アーム部の運転搬送モーション及び前記プレス装置の運転プレスモーションを記憶するモーション記憶手段と、
予め干渉がないことが確認された前記搬送装置の非干渉搬送モーション及び前記プレス装置の非干渉プレスモーションにおける、金型の角部に対する前記アーム部の先端の軌跡である基準干渉線を記憶する基準干渉線記憶手段と、
前記運転搬送モーション及び前記運転プレスモーションから前記金型の角部に対する前記アーム部の先端の軌跡として作成される運転干渉線、並びに、前記基準干渉線、を比較して干渉の有無を判定する基準干渉判定手段と、
該基準干渉判定手段が干渉があると判定した場合、前記運転搬送モーション及び／又は前記運転プレスモーションを変更するモーション調整手段と、
前記ワークの搬送方向をｘ軸、前記ワークの搬送方向に直交する幅方向をｙ軸とし、前記ｘ軸及び前記ｙ軸に直交する方向をｚ軸とし、任意の点を原点とした場合に、
前記アーム部の先端の前記ｘ軸、前記ｙ軸及び前記ｚ軸方向の座標と前記プレス装置に取り付けた前記金型の角部の前記ｘ軸、前記ｙ軸及び前記ｚ軸の座標を記憶する座標記憶手段と、
前記運転プレスモーションから算出される前記角部の座標及び前記運転干渉線を比較して干渉の有無を判定する座標干渉判定手段と、
を備え、
前記座標干渉判定手段又は前記基準干渉判定手段が干渉の有無を判定し、
前記モーション調整手段が、前記座標干渉判定手段又は前記基準干渉判定手段が干渉があると判定した場合に、前記運転搬送モーション及び／又は前記運転プレスモーションを変更するトランスファプレスシステム。
【発明の詳細な説明】
【技術分野】
【０００１】  本発明はトランスファプレスシステムに関し、更に詳しくは干渉の発生を判定するに際して簡単かつ正確に干渉の有無を判定できるトランスファプレスシステムに関する。
【背景技術】
【０００２】  金属加工には短時間で大量生産が可能なプレス装置が広く用いられており、生産効率を高めるため、ワークを搬送しながらプレス加工を行うトランスファプレスシステムが知られている。近年の複雑な加工の要請に応えるため、プレスモーション及び搬送モーションの位置や速度、動線を細かく設定可能なサーボトランスファプレスシステムが採用されている。  サーボトランスファプレスシステムにおいては、連続加工のためにプレス装置と搬送装置とを同期させて稼働させる必要があり、このためマスター位相信号同期方式が開発されている（特許文献１）。  プレス装置に同期して動く搬送装置は、稼働するプレス装置に侵入離脱を繰り返してワークを搬入及び搬出するものであり、サーボトランスファプレスシステムを用いるにあたって搬送装置とプレス装置が互いの動作に干渉しないように両者の運転を調整する必要がある。【０００３】  干渉の発生を確認するためには、実際にサーボトランスファプレスシステムであっても、サーボトランスファプレスシステムを稼働させて目視で干渉発生を確認する必要がある。  この確認作業は、プレス装置のモーション及び搬送装置のモーションのいずれかを変更するたびに、発生するものである。また、プレス装置の金型や、搬送装置のワークを把持する冶具を変更するたびに発生するものであり、手間と時間を要する。【０００４】  これに対応するため、基準干渉線図と運転干渉線図とを比較し、運転干渉線図が基準干渉線図の内側の保護領域に入り込むか否かを比較することで干渉が発生するか否かを判別する手段、すなわち干渉発生有無比較判別手段を備えたサーボトランスファシステムが開発されている（特許文献２）。これは、サーボプレス機械とサーボトランスファ装置との干渉有無関係を表す基準干渉線図を作成する基準干渉線図作成手段と、運転プレスモーションと運転トランスファモーションとを用いてサーボプレス機械とサーボトランスファ装置との干渉発生有無関係を表す運転干渉線図を作成する運転干渉線図作成手段を備えるものである。
【先行技術文献】
【特許文献】
【０００５】
【特許文献１】特許第４４２５０４３号公報
【特許文献２】特許第５６６５２３３号公報
【発明の概要】
【発明が解決しようとする課題】
【０００６】  特許文献２のサーボトランスファプレスシステムでは、干渉の有無を判定するために基準干渉線図を作成する必要がある。サーボプレス機械及びサーボトランスファプレスシステムを実際に稼働させ、干渉が発生しないことを確認したモーションにおいて、基準干渉線図はプレス装置に対する搬送装置の軌跡である。したがって、確認作業を省略することはできず、ヒューマンエラーの発生を完全に避けることはできない。【０００７】  さらに、基準干渉線図には、干渉発生が未確認の領域が存在する。基準干渉線図を用いた干渉の判定では、この未確認の領域に運転干渉線図が侵入すると、実際には干渉が発生しない場合でも無条件で干渉が発生すると判定されてしまう（図７参照）。すなわち、本来は干渉を発生させずに利用できる運転プレスモーション又は運転搬送モーションを利用できず、生産効率を下げる要因となる。【０００８】  本発明は、上述の課題を受けて開発されたものである。すなわち、本発明は干渉の発生を判定するに際し、簡単かつ正確に干渉の有無を判定できるトランスファプレスシステムを提供することを目的とする。
【課題を解決するための手段】
【０００９】  本発明者らは鋭意検討の結果、プレス装置の金型の座標と、該金型に対する搬送装置の軌跡とを比較することにより、上記課題を解決できることを見出した。本発明はこの知見に基づくものである。【００１０】  本発明は（１）、ワークを搬送するための基部及びアーム部を有する搬送装置と、ワークをプレスするためのプレス装置と、搬送装置及びプレス装置を制御するための制御部と、を有するトランスファプレスシステムであって、制御部が、ワークの搬送方向をｘ軸、ワークの搬送方向に直交する幅方向をｙ軸とし、ｘ軸及びｙ軸に直交する方向をｚ軸とし、任意の点を原点とした場合に、アーム部の先端のｘ軸、ｙ軸及びｚ軸の座標並びにプレス装置に取り付けた金型の角部のｘ軸、ｙ軸及びｚ軸の座標を記憶する座標記憶手段と、搬送装置の運転搬送モーション及びプレス装置の運転プレスモーションを記憶するモーション記憶手段と、運転搬送モーション及び運転プレスモーションから、金型の角部に対するアーム部の先端の軌跡として作成される運転干渉線、並びに、運転プレスモーションから算出される角部の座標、を比較して干渉の有無を判定する干渉判定手段と、干渉判定手段が干渉があると判定した場合、運転搬送モーション及び／又は運転プレスモーションを変更するモーション調整手段と、を備えるトランスファプレスシステムに存する。【００１１】  本発明は（２）、角部が、運転プレスモーションにおける運転干渉線に対する距離が最短となる金型の部分である上記（１）記載のトランスファプレスシステムに存する。【００１２】  本発明は（３）、基部が右基部と左基部とからなり、アーム部が右アーム部と左アーム部とからなり、右アーム部は右基部に設けられるものであり、左アーム部は左基部に設けられるものであり、右基部と左基部はプレス装置の両側に配置されるものであり、右アーム部及び左アーム部がいずれもｘ軸、ｙ軸及びｚ軸方向に移動可能であり、右アーム部及び左アーム部が協働してワークを両側から把持して搬送するものである上記（１）又は（２）記載のトランスファプレスシステムに存する。【００１３】
本発明は（４）、右アーム部及び左アーム部がいずれもロボットアームである上記（３）記載のトランスファプレスシステムに存する。
【００１４】  本発明は（５）、モーション調整手段が、運転搬送モーションの開始タイミング、運転搬送モーションの開始位置、運転搬送モーションの動作速度、運転プレスモーションの開始タイミング、運転プレスモーションの開始位置及び運転プレスモーションの動作速度からなる群より選択される１つ以上を変更するものである上記（１）〜（４）いずれか１つに記載のサーボトランスファプレスシステムに存する。【００１５】
本発明は（６）、ワークを搬送するための基部及びアーム部を有する搬送装置と、ワークをプレスするためのプレス装置と、搬送装置及びプレス装置を制御するための制御部とを有するトランスファプレスシステムであって、制御部が、アーム部の運転搬送モーション及びプレス装置の運転プレスモーションを記憶するモーション記憶手段と、予め干渉がないことが確認された搬送装置の非干渉搬送モーション及びプレス装置の非干渉プレスモーションにおける、金型の角部に対するアーム部の先端の軌跡である基準干渉線を記憶する基準干渉線記憶手段と、運転搬送モーション及び運転プレスモーションから金型の角部に対するアーム部の先端の軌跡として作成される運転干渉線、並びに、基準干渉線、を比較して干渉の有無を判定する基準干渉判定手段と、基準干渉判定手段が干渉があると判定した場合、運転搬送モーション及び／又は運転プレスモーションを変更するモーション調整手段と、ワークの搬送方向をｘ軸、ワークの搬送方向に直交する幅方向をｙ軸とし、ｘ軸及びｙ軸に直交する方向をｚ軸とし、任意の点を原点とした場合に、アーム部の先端のｘ軸、ｙ軸及びｚ軸方向の座標とプレス装置に取り付けた金型の角部のｘ軸、ｙ軸及びｚ軸の座標を記憶する座標記憶手段と、運転プレスモーションから算出される角部の座標及び運転干渉線を比較して干渉の有無を判定する座標干渉判定手段と、を備え、座標干渉判定手段又は基準干渉判定手段が干渉の有無を判定し、モーション調整手段が、座標干渉判定手段又は基準干渉判定手段が干渉があると判定した場合に、運転搬送モーション及び／又は運転プレスモーションを変更するトランスファプレスシステムに存する。
【発明の効果】
【００１７】  本発明のトランスファプレスシステムは、運転搬送モーション及び運転プレスモーションから、金型の角部に対するアーム部の先端の軌跡として運転干渉線を作成する。また、金型の座標及び運転プレスモーションから角部の座標を算出する。本発明は、これら運転干渉線及び角部の座標を比較して干渉の有無を判定する干渉判定手段を備えることにより、運転干渉線と金型の座標が接近するような場合であっても、簡単かつ正確な干渉の判定が可能となり、運転干渉線に座標が接近する運転プレスモーション及び運転搬送モーションを採用することが可能になる。したがって、生産効率の高いモーションを採用することができる。また、干渉の判定のために基準干渉線を作成する必要がない。【００１８】  本発明のトランスファプレスシステムは、角部が、運転プレスモーションにおける運転干渉線に対する距離が最短となる金型の部分であることにより、少数の座標で干渉の判定を行うことができ、干渉の判定を即時に行うことが可能となる。【００１９】  本発明のトランスファプレスシステムは、右アーム部及び左アーム部がいずれもｘ軸、ｙ軸及びｚ軸方向に移動可能となっていることにより、ワークを自在に搬送することができる。【００２０】  本発明のトランスファプレスシステムは、右アーム部及び左アーム部がいずれもロボットアームであることにより、搬送モーションを自在に設定することができ、複雑形状のワークを搬送することが可能となる。【００２１】  本発明のトランスファプレスシステムは、モーション調整手段が、運転搬送モーションの開始タイミング、運転搬送モーションの開始位置、運転搬送モーションの動作速度、運転プレスモーションの開始タイミング、運転プレスモーションの開始位置及び運転プレスモーションの動作速度からなる群より選択される１つ以上を変更するものであることにより、加工速度を維持しながら干渉の発生しない運転プレスモーション又は運転搬送モーションを採用することが可能となる。【００２２】  本発明のトランスファプレスシステムは、運転干渉線及び基準干渉線を比較して干渉の有無を判定する基準干渉判定手段を備えることにより、基準干渉線を利用して干渉の有無を判定することが可能となる。【００２３】  本発明のトランスファプレスシステムは、座標干渉判定手段を備え、座標干渉判定手段が干渉の有無を判定することにより、基準干渉線の作成を要さずにプレス加工を開始することが可能となる。また、基準干渉判定手段が干渉の有無を判定することにより、座標の計測を要さずに、プレス加工を開始することが可能となる。
【図面の簡単な説明】
【００２４】
【図１】図１は、トランスファプレスシステムを示す正面図である。
【図２】図２（Ａ）は、搬送装置がプレス装置に接近する動作を示す正面図である。図２（Ｂ）は、搬送装置の持ち上げ動作を示す正面図である。図２（Ｃ）は、搬送装置の搬出動作を示す側面図である。図２（Ｄ）は、搬送装置のプレス装置への搬入動作を示す正面図である。図２（Ｅ）は、搬送装置のプレス装置からの離脱を示す正面図である。図２（Ｆ）は、搬送装置の動作開始位置への復帰を示す側面図である。
【図３】図３は、搬送装置の動作の軌跡を示す模式図である。
【図４】図４は、制御部を示す模式図である。
【図５】図５は、トランスファプレスシステムの干渉の有無の判定を示すフローチャートである。
【図６】図６は、運転干渉線の変化を示す模式図である。
【図７】図７は、干渉線を用いた干渉の有無の判定を示す模式図である。
【発明を実施するための形態】
【００２５】  以下、必要に応じて図面を参照しつつ、本発明の好適な実施形態について詳細に説明する。  なお、図面中、同一要素には同一符号を付すこととし、重複する説明は省略する。  また、上下左右等の位置関係は、特に断らない限り、図面に示す位置関係に基づくものとする。更に、図面の座標比率は図示の比率に限られるものではない。
【００２６】  図１は、トランスファプレスシステムＡを示す正面図である。  トランスファプレスシステムＡは、ワークＷを搬送するための基部１ａ及びアーム部１ｂを有する搬送装置１と、ワークＷをプレスするためのプレス装置２と、搬送装置１及びプレス装置２を制御するための制御部（図４参照）と、を有する。
【００２７】  プレス装置２は、金型である下型及び上型を備え、求めるワークＷの加工形状に応じて、上型及び下型が交換可能となっている。下型は固定されており、上型がサーボモータにより駆動され、下型に接近及び離脱し、ワークＷをプレスする。
【００２８】  搬送装置１は、基部１ａが右基部１ａ１と左基部１ａ２とからなり、右基部１ａ１と左基部１ａ２はプレス装置２の両側に配置される。アーム部１ｂは、右アーム部１ｂ１と左アーム部１ｂ２とからなり、右アーム部１ｂ１は右基部１ａ１に設けられ、左アーム部１ｂ２は左基部１ａ２に設けられる。  ここで、ワークＷの搬送方向をｘ軸、ワークＷの搬送方向に直交する幅方向（クランプ方向）をｙ軸とし、ｘ軸及びｙ軸に直交する方向（リフト方向）をｚ軸とする。右アーム部１ｂ１及び左アーム部１ｂ２は、いずれもｘ軸、ｙ軸及びｚ軸方向それぞれ設けられたレールに沿って移動可能となっている。右アーム部１ｂ１と左アーム部１ｂ２は、協働してワークＷを両側から把持して搬送するものである。
【００２９】  右アーム部１ｂ１及び左アーム部１ｂ２の先端には、それぞれフィンガーが設けられており、ワークＷを両端から引っ掛けて搬送する。  これにより、シンプルな構造でワークＷを素早く、かつ自在に搬送することが可能となる。
【００３０】  プレス装置２のプレスモーションは、上下動であり、運転開始位置、運転距離、運転速度及び運転時間によって定義される。
【００３１】  たとえば、上型の上死点からワークＷに接近するまでは高速で下降し、ワークＷに接近した後に接するまでは低速で下降し、ワークＷを下型との間に挟み込んで数秒待機し、その後高速で上昇する、といったモーションを設定し、これをモーション記憶手段５に記憶することができる。  １サイクルの運転終了位置を、運転開始位置と同一に設定することにより、プレス装置２は連続してプレス加工を行うことが可能となる。
【００３２】  搬送装置１の搬送モーションについても同様に、運転開始位置、運転距離、運転速度及び運転時間によって定義される。搬送装置１の搬送モーションは、加えて運転方向のパラメータを有する。
【００３３】  複数のプレス装置２を備えるトランスファプレスシステムの例を示す。図中の矢印は、アーム部１ｂの動作を示す。  ワークＷはプレス装置２によりプレスされたのち、搬送装置１により下流のプレス装置２’に搬送される。  図２（Ａ）は、搬送装置１がプレス装置２に接近する動作を示す正面図である。図２（Ｂ）は、搬送装置１の持ち上げ動作を示す正面図である。図２（Ｃ）は、搬送装置１の搬出動作を示す側面図である。図２（Ｄ）は、搬送装置１のプレス装置２への搬入動作を示す正面図である。図２（Ｅ）は、搬送装置１のプレス装置２からの離脱を示す正面図である。図２（Ｆ）は、搬送装置１の動作開始位置への復帰を示す側面図である。  搬送装置１は図２（Ａ）〜図２（Ｆ）の一連の動作を１サイクルとして、ワークＷを搬送する。  図３は、搬送装置の動作の軌跡を示す模式図である。１サイクルの動作により、搬送装置１のアーム部１ｂは、図３に示すような軌跡を描く。  図３の（Ａ）〜（Ｆ）は、図２（Ａ）、図２（Ｂ）、図２（Ｃ）、図２（Ｄ）、図２（Ｅ）及び図２（Ｆ）にそれぞれ対応する。
【００３４】  プレス装置２と搬送装置１は、それぞれサーボモータにより駆動されており、動作速度の無段階変更、一時停止、再開を適宜、自在に行うことができる。
【００３５】  プレスモーション及び搬送モーションの１サイクルの時間を同一とすることで、プレス装置２と搬送装置１が協働して稼働し、ワークＷを搬送しながらプレス加工することが可能となる。
【００３６】  尚、プレス加工のために作成され、モーション記憶手段５に搬送されたプレス装置２のプレスモーション及び搬送装置１の搬送モーションを、それぞれ運転プレスモーション及び運転搬送モーションという。
【００３７】  図４は、制御部を示す模式図である。  制御部３は、座標記憶手段４と、モーション記憶手段５と、干渉判定手段６と、モーション調整手段７と、を備える。  尚、基準干渉線記憶手段８については後述する。  座標記憶手段４は、アーム部１ｂの先端の座標及びプレス装置２に取り付けた金型の角部２１の座標を記憶するものである。  上述したように、モーション記憶手段５は、搬送装置１の運転搬送モーション及びプレス装置２の運転プレスモーションを記憶するものである。  干渉判定手段６は、運転プレスモーションから算出される角部２１の座標と、運転干渉線Ｒとを比較して干渉の有無を判定する。運転干渉線Ｒは、運転搬送モーション及び運転プレスモーションから角部２１に対するアーム部１ｂの先端の軌跡として作成される。  干渉判定手段６が干渉があると判定した場合に、モーション調整手段７は、運転搬送モーション及び／又は運転プレスモーションを変更する。
【００３８】  プレス装置２及び搬送装置１のモーションは、制御部３によって制御される。  制御部３並びに制御部３が備える座標記憶手段４、モーション記憶手段５、干渉判定手段６及びモーション調整手段７には、通常のコンピュータを利用することができる。  座標記憶手段４及びモーション記憶手段５にはコンピュータのメモリーが、干渉判定手段６及びモーション調整手段７にはコンピュータのＣＰＵが、それぞれ相当する。
【００３９】  座標記憶手段４は、任意のある一点を原点とし、プレス装置２の上型及び搬送装置１のフィンガーの座標を記憶する。原点には、例えばプレス装置２と床面が接する１点を採用することができる。  ｘ軸、ｙ軸及びｚ軸における座標は空間座標として、（ｘ，ｙ，ｚ）で表される。  これにより、上型とフィンガーの空間内での位置が把握される。  ここでは、プレス装置２及び搬送装置１の運転開始位置における座標を記録するものとする。
【００４０】  座標記憶手段４に記憶されるのは、プレス装置２と搬送装置１の干渉を判定すべき点の座標である。すなわちプレス装置２についていえば、座標記憶手段４に記憶されるのは、運転プレスモーションにおいて運転干渉線Ｒ（後述）に対する距離が最短となる、すなわち運転干渉線Ｒに下した垂線の長さが最短となる前記金型の角部２１である。  搬送装置１についていえばアーム部１ｂ先端に設けられたフィンガーの先端の座標である。  これらの座標を記録し、運転干渉線Ｒの作成及び干渉の判定に用いることにより、少数の座標で干渉の判定を行うことができ、干渉の判定を即時に行うことが可能となる。
【００４１】  複雑な形状の上型やフィンガーを用いるため複数の点で干渉が発生すると考えられる場合、トランスファプレスシステムＡはそれぞれの点について座標記憶手段４に記憶し、記憶した点ごとに後述する干渉発生の判定を行う。
【００４２】  座標を算出または記憶する際に、上型の寸法を用いて、上型の取り付け部分の座標に金型の寸法を加減することにより角部２１の座標を求めることができる。同様に、フィンガーの寸法を用いて、アーム部１ｂの先端の座標にフィンガーの寸法を加減することにより、フィンガー先端の座標を求めることができる。  これにより、例えばプレス装置２の上型を変更した場合や、搬送装置１のフィンガー部分を変更した場合、変更前の冶具の寸法と変更後の冶具の寸法の差から、容易に座標を修正することが可能となる。
【００４３】  干渉判定手段６は、運転干渉線Ｒ並びに金型の角部２１の座標及び運転プレスモーションから作成される角部２１の座標を比較して干渉の有無を判定する座標干渉判定手段６ａと、運転干渉線Ｒ及び後述する基準干渉線Ｂを比較して干渉の有無を判定する基準干渉判定手段６ｂとを備える。
【００４４】  運転プレスモーション及び運転搬送モーションがモーション記憶手段５に記憶されると、干渉判定手段６が運転干渉線Ｒを作成する。  運転干渉線Ｒは、搬送装置１がプレス装置２に対する最も干渉し易い一点、すなわち、アーム部１ｂのフィンガーの先端の、角部２１に対する軌跡である。
【００４５】  なお、下型は固定されているため、搬送装置１の下型に対する干渉はモーションを作成する段階で排除される。    仮に、下型が稼働するようなプレス装置２を用いる場合、下型の座標を座標記憶手段４に記憶させ、後述する干渉の判定を行うことができる。
【００４６】  ここで、トランスファプレスシステムＡが、座標干渉判定手段６ａによりプレス装置２と搬送装置１との干渉の有無を判定する流れについて説明する。  図５は、トランスファプレスシステムの干渉の有無の判定を示すフローチャートである。  最初に、製造するワークＷに応じ、これを実現するため運転プレスモーション及び運転搬送モーションに要求される作成条件を設定する。これらの作成条件から運転プレスモーション及び運転搬送モーションを作成し、モーション記憶手段５に記憶させる。モーション記憶手段５は、記憶された運転プレスモーション及び運転搬送モーションから運転干渉線図Ｒを作成する。  ここで、上述した通り、金型（上型）の寸法及び搬送装置の寸法がある場合（図５でＹの場合）、これらを座標記憶手段４に読み込み、記憶させることで、干渉の基準となる金型の角部２１及びアーム１ｂの先端の座標が算出され、当該座標が座標記憶手段４に記憶される。  これらの情報をもとに、干渉判定手段６が作成された運転プレスモーション及び運転搬送モーションにおいて、干渉回避が可能か否かを判別する。まず、プレス装置２の上型が、上死点で動かないモーションを運転プレスモーションとして設定し、座標干渉判定手段６ａによる干渉判定を行う。  プレス装置２の上型が上死点で動かない場合、最もプレス装置２と搬送装置１との干渉可能性が低い。換言すれば、かかる運転プレスモーションにおいても干渉が発生する場合は、干渉回避が不可能であり、当該運転搬送モーションは採用しえないものと判断できる。この場合、運転プレスモーション及び運転干渉モーション作成条件の設定から、再度やり直されることとなる。
【００４７】  干渉の有無は、角部２１の座標が運転干渉線Ｒに接触するか否かで判定される。角部２１の座標が運転干渉線Ｒに接触する場合、座標干渉判定手段６ａが干渉が発生するものと判定する。
【００４８】  干渉回避が可能であると判別された場合、すなわちプレス装置２が上死点から動かないプレスモーションにおいて干渉が発生しないと判定された場合、実際にプレス装置２を稼働させようとする運転プレスモーションをモーション記憶手段５に記憶させる。上述した運転プレスモーション及び角部２１の座標から、１サイクルの各時点における角部２１の座標が算出される。  この座標と、運転干渉線Ｒを比較することにより、角部２１の座標が運転干渉線Ｒと干渉する場合（図７で、角部２１の座標が運転干渉線Ｒよりも右下側に位置する場合）、又は角部２１の座標が運転干渉線Ｒをまたいで移動する場合、干渉があると判定できる。  図１の例では、yｚ平面についての運転干渉線Ｒと上型の座標を比較しており、ｘｚ平面における干渉の有無が判定される。  これをｙｚ平面、ｘｙ平面それぞれについて行うことにより、プレス装置２と搬送装置１の干渉の有無を判定することができる。
【００４９】  実際にプレス装置２を稼働させようとする運転プレスモーションにおいて、座標干渉判定手段６ａが干渉が発生すると判定した場合、モーション調整手段７が運転プレスモーション又は運転搬送モーションを変更する。  モーションの変更は、位相差の変更、運転プレスモーションの変更、及び運転搬送モーションの変更から選択される１つ以上により行われる。具体的には、運転搬送モーションの開始タイミング、運転搬送モーションの開始位置、運転搬送モーションの動作速度、運転プレスモーションの開始タイミング、運転プレスモーションの開始位置及び運転プレスモーションの動作速度からなる群より選択される１つ以上を変更することにより行う。
【００５０】  図６は、運転干渉線の変化を示す模式図である。  例えば、図６のモーションのうち、プレス装置２がプレスを開始するタイミングを変更すると、図６の運転干渉線Ｒは運転干渉線Ｒ’のようになる。  モーション調整手段７が行うモーションの変更は、上述の群から１サイクルの時間が最も短くなるパラメータを選択して変更を行う他、種々の条件を設定できる。例えば、上型と下型がワークＷを挟む時間は変更しない、搬送装置１が運転干渉線Ｒ図の干渉領域外にある時点のモーションを優先的に変更する等の条件が考えられる。  これにより、加工速度及び加工精度を維持しながら、プレス装置２と搬送装置１の干渉が発生しないモーションを作成することが可能となる。
【００５１】  モーション調整手段７が運転プレスモーション又は運転搬送モーションを変更した後、変更したモーションを新たな運転プレスモーション又は運転搬送モーションとして記録し、再び、座標干渉判定手段６ａにより干渉の有無を判定する。  これを繰り返すことにより、簡単かつ正確に干渉の発生しない運転プレスモーション及び運転搬送モーションをモーション記録手段に記録し、トランスファプレスシステムＡを用いてプレス加工を行うことができる。また、干渉の有無を判定するに当たり、基準干渉線の作成を要さず、必ずしも目視による確認を要さない。  干渉が発生しない運転プレスモーション及び運転搬送モーションが得られた場合、これらをそれぞれ実際にプレス装置２に及び搬送装置１を稼働させるための、実際運転プレスモーション及び実際運転搬送モーションとする。
【００５２】  座標干渉判定手段６ａが座標と運転干渉線Ｒを比較して干渉の有無を判定することにより、判定の精度を向上させることができる。  すなわち、干渉線の比較により干渉の有無を判定する場合、干渉の発生が未確認な領域が存在する。  具体的には、基準となる干渉線の内側はすべて干渉の発生が未確認な領域であり、この未確認な領域に運転干渉線が侵入すれば、直ちに干渉が生じるものと判定されてしまう。例えば、図７における運転干渉線図Ｒ２は、実際のプレス装置２及び搬送装置１では干渉が発生しないものであるが、基準干渉線図Ｂとの比較により干渉の有無を判定すると、干渉が発生するものとして判定されてしまう。  これに対し、座標と運転干渉線Ｒの比較を行う場合、基準干渉線Ｂにおいて干渉の発生が未確認となっている領域においても、設定した運転プレスモーションと運転搬送モーションを基準に、実機を稼働させることなく干渉の有無を判定することが可能となる。  このため、簡単かつ正確な干渉の判定が可能となり、より運転干渉線Ｒに座標が接近する運転プレスモーション及び運転搬送モーションを採用することが可能になる。したがって、生産効率の高いモーションを採用することができる。
【００５３】  以下、基準干渉判定手段６ｂを用いた干渉の判定について述べる。  図５に戻り、運転プレスモーション及び運転搬送モーションから運転干渉線Ｒを作成する点までは、上述の干渉判定手段６を用いた判定と同様である。  基準干渉判定手段６ｂを用いる干渉の判定は、図５でいう点線で囲まれた部分のフローにより行われる。  基準干渉判定手段６ｂを用いる場合、当該搬送装置１及びプレス装置２について、干渉がないことが予め確認されている基準干渉線Ｂを基準干渉線記憶手段８に読み込み、記憶させる。干渉が発生しないプレス装置２の非干渉プレスモーション及び搬送装置１の非干渉搬送モーションにおいて、基準干渉線Ｂは角部２１に対するフィンガーの先端の軌跡である。  基準干渉線記憶手段８には、上述したコンピュータのメモリーを用いることができる。  さらに、座標干渉判定手段６ａを用いる場合同様、モーション記憶手段５に運転プレスモーション及び運転搬送モーションを記憶させる。
【００５４】  図７は、干渉線を用いた干渉の有無の判定を示す模式図である。  基準干渉判定手段は６ｂは、座標干渉判定手段６ａ同様に、モーション記憶手段５に記憶された運転プレスモーション及び運転搬送モーションから運転干渉線Ｒを作成する。  基準干渉判定手段６ｂは、運転干渉線Ｒ及び基準干渉線Ｂを比較して、基準干渉線Ｂにより画される干渉未確認領域と運転干渉線Ｒが接触する場合、例えば、図７における運転干渉線がＲ１又はＲ２であるような場合、プレス装置２と搬送装置１との干渉が発生するものと判定する。  干渉の有無の判定においては、干渉判定手段６を用いる場合と同様に、上型が上死点で静止した運転プレスモーションを用いて干渉回避が可能か否かを判別し、不可能と判別された場合は運転プレスモーション及び運転搬送モーションの作成条件の設定をやり直す。  干渉回避が可能と判別された場合、実際の運転プレスモーション及び運転搬送モーションから得られた運転干渉線Ｒと基準干渉線Ｂの比較により、干渉の有無を判別する。  基準干渉判定手段６ｂが干渉が発生すると判定した後は、座標干渉判定手段６ａを用いる場合と同様、モーション調整手段７が運転プレスモーション及び／又は運転搬送モーションを変更し、プレス装置２と搬送装置１が干渉しない運転搬送モーションを得る。
【００５５】  例えば、既存のトランスファプレス装置において、運転プレスモーション又は運転搬送モーションを変更しようとする場合、当該トランスファプレス装置について、既に干渉がないことが予め確認された基準干渉線Ｂが存在することが通常である一方で、プレス装置２及び搬送装置１の座標や搬送装置１の座標が測定されていない場合がある。  このような場合に、基準干渉判定手段６ｂを用いることで当該基準干渉線Ｂを利用して干渉の有無を判定することが可能となり、座標の計測が不要となる。
【００５６】  座標干渉判定手段６ａ及び基準干渉判定手段６ｂは、いずれもプレス装置２及び搬送装置１の干渉を判定するためのものであり、いずれかが選択的に用いられる。  これにより、不必要な寸法の計測や干渉線図の作成を省き、プレス加工を開始することが可能となる。
【００５７】  以上、本発明の好適な実施形態について説明したが、本発明は上記実施形態に限定されるものではない。
【００５８】  例えば、右アーム部１ｂ１及び左アーム部１ｂ２はロボットアームとしても良い。これにより、搬送モーションを自在に設定することができ、複雑形状のワークを搬送することが可能となる。  又、ワークＷが小型かつ軽量であるような場合、右アーム部１ｂ１又は左アーム部１ｂ２のいずれか一方のみによりワークＷを搬送することができる。
【００５９】  アーム部１ｂがワークＷを把持する機構としてはフィンガーの他、吸着カップ等各種のものを利用可能である。
【産業上の利用可能性】
【００６０】  本発明のトランスファプレスシステムＡは、干渉の判定のために基準干渉線を作成する必要がなく、運転干渉線に座標が接近する運転プレスモーション及び運転搬送モーションを採用することができるため、プレス加工の分野において幅広く利用することが可能である。
【符号の説明】
【００６１】  Ａ・・・トランスファプレスシステム  １・・・搬送装置  １ａ・・・基部  １ａ１・・・右基部  １ａ２・・・左基部  １ｂ・・・アーム部  １ｂ１・・・右アーム部  １ｂ２・・・左アーム部  ２、２’・・・プレス装置  ２１・・・角部  ３・・・制御部  ４・・・座標記憶手段  ５・・・モーション記憶手段  ６・・・干渉判定手段  ６ａ・・・座標干渉判定手段  ６ｂ・・・基準干渉判定手段  ７・・・モーション調整手段  ８・・・基準干渉線記憶手段  Ｒ、Ｒ’、Ｒ１〜３・・・運転干渉線  Ｂ・・・基準干渉線  Ｗ・・・ワーク
【図１】
0006792231.tif 000002
【図２】
0006792231.tif 000003
【図３】
0006792231.tif 000004
【図４】
0006792231.tif 000005
【図５】
0006792231.tif 000006
【図６】
0006792231.tif 000007
【図７】
0006792231.tif 000008